【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
被写体の光軸方向移動を検出して該被写体移動に応じたレンズの駆動の補正を加える第１駆動モードと、該レンズの駆動の補正を加えない第２駆動モードとを有する自動合焦装置において、
撮影レンズのズーミング動作による焦点移動が生じる領域において、ズーミング動作による焦点移動が生じることを表わす焦点移動信号を出力する出力手段（１１７、２１７、３１７）と、
該焦点移動信号に対応して、前記第１駆動モードによる駆動を禁止する禁止手段（１２３、２２３、３２３）とを有することを特徴とする自動合焦装置。
【請求項２】
撮影レンズの設定焦点距離が変化していることを検出するズーミング検出手段（２１５）を更に具備し、
前記禁止手段（２２３、３２３）は、該ズーミング検出手段（２１５）がズーミング動作を検出し、かつ前記出力手段（１１７）により焦点移動信号が出力されているときに、前記第１駆動モードによる駆動を禁止することを特徴とする請求項１に記載の自動合焦装置。
【請求項３】
前記禁止手段（３２３）は、前記第１駆動モードによる駆動中は前記焦点移動信号を無視し、前記第１駆動モードでないときは前記焦点移動信号を採用することを特徴とする請求項１または請求項２に記載の自動合焦装置。
【請求項４】
被写体の光軸方向移動を検出して該被写体移動に応じたレンズの駆動の補正を加える第１駆動モードと、該レンズの駆動の補正を加えない第２駆動モードとを有する自動合焦カメラに装着可能な交換式ズームレンズにおいて、
撮影レンズのズーミング動作による焦点移動が生じることを表わす焦点移動信号を前記自動合焦カメラに出力する出力手段（７）を有し、
該焦点移動信号に応じて前記第１駆動モードによる駆動を制限することを特徴とする交換式ズームレンズ。
【請求項５】
被写体の光軸方向移動を検出して該被写体移動に応じたレンズの駆動の補正を加える第１駆動モードと、該レンズの駆動の補正を加えない第２駆動モードとを有する自動合焦カメラに装着可能な交換式ズームレンズにおいて、
撮影レンズのズーミング動作による焦点移動が生じる領域で、ズーミング動作による焦点移動が生じることを表わす焦点移動信号を前記自動合焦カメラに出力する出力手段（７）を有し、
該焦点移動信号に応じて前記第１駆動モードによる駆動を制限することを特徴とする交換式ズームレンズ。
【請求項６】
被写体に対する撮影レンズのデフォーカス量を検出するデフォーカス量検出手段（３）と、該デフォーカス量に基づいて前記撮影レンズの駆動量を求める駆動量演算手段（５）と、前記撮影レンズの光軸方向に関する前記被写体の移動を検出し、該移動に応じた前記駆動の補正を行う第１モードと、該補正を行わない第２モードとを有する制御装置（５）とを備えた自動合焦装置において、
前記撮影レンズは焦点距離が可変で、撮影距離の可変範囲内で前記撮影レンズの焦点位置が変化する第１領域を含み、
前記撮影距離が前記第１領域内に設定されていることを検出する検出手段（１５）と、
前記検出手段が前記第１領域内に設定されていることを検出した際に出力される、前記焦点位置が変化することを表す前記焦点移動信号に基づいて前記第１モードによる補正を禁止する禁止手段（５）とを有することを特徴とする自動合焦装置。
【請求項７】
前記禁止手段は、前記焦点距離の変化している間で、且つ前記検出手段により前記第１領域内に設定されていることを検出した際に、前記第１モードによる補正を禁止することを特徴とする請求項６に記載の自動合焦装置。
【請求項８】
前記禁止手段（５）による補正の禁止は、前記第２モードで制御を行うことであることを特徴とする請求項６に記載の自動合焦装置。
【請求項９】
前記禁止手段（５）は、前記焦点移動信号が出力されているか否かを判別するステップ（１１７）を有し、
前記焦点移動信号が出力されているときには、前記第１駆動モードによる駆動を禁止する（１２３）ことを特徴とする請求項６に記載の自動合焦装置。
【請求項１０】
前記禁止手段（５）は、撮影レンズがズーミング動作中か否かを判別するステップ（２１５）と、前記焦点移動信号が出力されているか否かを判別するステップ（２１７）を有し、
撮影レンズがズーミング動作中であり、かつ前記焦点移動信号が出力されているときには、前記第１駆動モードによる駆動を禁止する（２２３）ことを特徴とする請求項６に記載の自動合焦装置。
【請求項１１】
前記禁止手段（５）は、光軸方向に移動する被写体に対して連続的に合焦状態を得られるように駆動制御を行う追尾モードに入っているか否かを判別するステップ（３１３）と、撮影レンズがズーミング動作中か否かを判別するステップ（３１５）と、前記焦点移動信号が出力されているか否かを判別するステップ（３１７）を有し、
追尾モードに入っておらず、かつ撮影レンズがズーミング動作中であり、かつ前記焦点移動信号が出力されているときには、前記第１駆動モードによる駆動を禁止する（３２３）ことを特徴とする請求項６に記載の自動合焦装置。
【手続補正２】
【補正対象書類名】明細書
【補正対象項目名】０００７
【補正方法】変更
【補正の内容】
【０００７】
第２発明の交換式ズームレンズでは、被写体の光軸方向移動を検出して被写体移動に応じたレンズの駆動量の補正を加える第１駆動モードと、レンズの駆動量の補正を加えない第２駆動モードとを有する自動合焦カメラに装着可能な交換式ズームレンズにおいて、撮影レンズのズーミング動作による焦点移動が生じることを表わす焦点移動信号を自動合焦カメラに出力する出力手段（７）を有し、焦点移動信号に応じて第１駆動モードによる駆動を制限する。


【手続補正３】
【補正対象書類名】明細書
【補正対象項目名】０００８
【補正方法】変更
【補正の内容】
【０００８】
第３発明の交換式ズームレンズでは、被写体の光軸方向移動を検出して被写体移動に応じたレンズの駆動量の補正を加える第１駆動モードと、レンズの駆動量の補正を加えない第２駆動モードとを有する自動合焦カメラに装着可能な交換式ズームレンズにおいて、撮影レンズのズーミング動作による焦点移動が生じる領域で、ズーミング動作による焦点移動が生じることを表わす焦点移動信号を自動合焦カメラに出力する出力手段（７）を有し、焦点移動信号に応じて第１駆動モードによる駆動を制限する。


【手続補正４】
【補正対象書類名】明細書
【補正対象項目名】００１８
【補正方法】変更
【補正の内容】
【００１８】
縦軸は焦点距離変化で、ズーム操作環１９の設定値またはズーム位置検出手段２１の検出位置に相当する。横軸は距離変化で、距離操作環１７の回転角またはフォーカス位置検出手段１５の検出位置に相当する。目盛り５１はワイド端での撮影距離を示している。軌跡５３〜６９は、同じ撮影距離に対応する各焦点距離における距離操作環回転角を結んだもので、焦点移動を表わしている。領域Ａはズーミングによる焦点移動の無い領域で、例えば撮影距離２０ｍおよび１０ｍでの焦点位置はズーミングによって変化しない。領域Ｂは焦点移動のある領域で、例えばワイド端で３ｍにピントの合う距離環位置では、テレ端にすると５ｍにピントが合うが、３ｍの被写体にはピントが合わない。言い換えると、ワイド端で３ｍの被写体にピントを合わせてからズーミングを行うと、結像面がフィルム面から移動する。この状態は、前述の図３で示した被写体が移動している状態と似ている。